(57)【要約】      （修正有）【課題】塗装現場でペンキ缶からの飛散による汚染防止および刷毛に付着した余分な塗料の掻き落とし作業の労力軽減、さらに刷毛を傷めずに保管ができる刷毛の削ぎ具を提供する。【解決手段】プレート１は、ペンキ缶もしくは容器の上部端末部と円周曲線外側面部を包み込む形状を設けるため、差し込むためのヘアピンの曲線形状と、ペンキ缶もしくは容器の円周曲線外側面部と密着させるため、プレート１の背面は曲線形状を備え、容器に差し込むことで固定される形状を備えてプレート１を構成する。さらに、プレート１の内側面上部に沿った曲線形状のネット２を設けて、プレート１の内側面上部に接合し、ネット２の端末側面部に沿った曲線形状の削ぎ具Ａ５を設けて、ネット２の端末側面部に接合し、プレート１の内側面上部から好ましくは１０ｍｍ〜４０ｍｍ程度、下段にゴム４を固定するためのＬ字型形状を施したフック３をプレート１の左右端部２箇所に接合する。【選択図】図１
0003164548.tif 000002
【実用新案登録請求の範囲】
【請求項１】
１４ペンキ缶もしくは１５容器の上部端末部と円周曲線部を包み込むヘアピンの曲線形状と背面の曲線形状で１４ペンキ缶もしくは１５容器に差し込むことにより固定される形状を備えた１プレートであって、２ネットは空洞形状で５削ぎ器Ａの上部に付着した塗料を下に落とす機能を有し、３フックは４ゴムを固定する機能を備え、５削ぎ具Ａは１６刷毛に付着した余分な塗料を削ぎ落とす機能を有し、２ネットと３フックと５削ぎ具Ａとを１プレートと一体化した構造の１７プレートＡを具備したことを、特長とする刷毛の削ぎ具。
【請求項２】
５削ぎ具Ａと６削ぎ具Ｂと７削ぎ具Ｃと８削ぎ具Ｄと９削ぎ具Ｅは、１６刷毛に付着した余分な塗料を削ぎ落とすための傾斜度を備えており、内面部に４ゴムを安定させるための窪みを施した６削ぎ具Ｂと７削ぎ具Ｃと８削ぎ具Ｄであって、６削ぎ具Ｂは直線的な形状で１０開口部Ａを備え、７削ぎ具Ｃは曲線的な形状で１１開口部Ｂを備え、８削ぎ具Ｄは曲線的な形状で１７プレートＡとの接合部を１箇所にして１２開口部Ｃを備え、９削ぎ具Ｅは流線型の曲線形状で１３開口部Ｄを備えた６削ぎ具Ｂと７削ぎ具Ｃと８削ぎ具Ｄと９削ぎ具Ｅとを具備したことを、特長とする請求項１に記載した刷毛の削ぎ具。
【請求項３】
１０開口部Ａの上部から１６刷毛を差し込むことで４ゴムの弾圧により１６刷毛の柄部が６削ぎ具Ｂに固定され１６刷毛の毛を中空の状態で保管する機能と、６削ぎ具Ｂに１６刷毛を乗せることで一時的に１６刷毛を保管する機能と、１６刷毛を引き上げることで６削ぎ具Ｂと５削ぎ具Ａの２段で削ぎ落とす機能とを備えた一体化構造の１８プレートＢを具備したことを、特長とする請求項１と請求項２のいずれか一項に記載した刷毛の削ぎ具。
【請求項４】
１１開口部Ｂの上部から１６刷毛を差し込みスライドすることで４ゴムの弾圧により１６刷毛の柄部が７削ぎ具Ｃに固定され１６刷毛の毛を中空の状態で保管する機能と、７削ぎ具Ｃに１６刷毛を乗せることで一時的に１６刷毛を保管する機能と、１６刷毛を引き上げることで７削ぎ具Ｃと５削ぎ具Ａの２段で削ぎ落とす機能とを備えた一体化構造の１９プレートＣを具備したことを、特長とする請求項１から請求項３のいずれか一項に記載した刷毛の削ぎ具。
【請求項５】
１２開口部Ｃから１６刷毛を平行にスライドして差し込むことで４ゴムの弾圧により１６刷毛の柄部が８削ぎ具Ｄに固定され１６刷毛の毛を中空の状態で保管する機能と、８削ぎ具Ｄに１６刷毛を乗せることで一時的に１６刷毛を保管する機能と、１６刷毛を引き上げることで８削ぎ具Ｄと５削ぎ具Ａの２段で削ぎ落とす機能とを備えた一体化構造の２０プレートＤを具備したことを、特長とする請求項１から請求項４のいずれか一項に記載した刷毛の削ぎ具。
【請求項６】
前記１７プレートＡに９削ぎ具Ｅを備えた２１プレートＥであって、１６刷毛を引き上げることで９削ぎ具Ｅと５削ぎ具Ａの２段で削ぎ落とす機能と、９削ぎ具Ｅに１６刷毛を乗せることで一時的に１６刷毛を保管する機能とを備えた一体化構造の２１プレートＥを具備したことを、特長とする請求項１から請求項５のいずれか一項に記載した刷毛の削ぎ具。
【考案の詳細な説明】
【技術分野】
【０００１】
本考案は、刷毛の削ぎ具及び刷毛の保管に関するものである。
【背景技術】
【０００２】
登録実用新案第３１５７６０３号の塗料を収容する二重構造の塗装容器、その皮膜袋及び皮膜袋を外容器に係止する一方、刷毛に付着した塗料を削ぎ落とす係止部材と、該係止部材の上部に係着して塗料の乾燥を防ぐ一方、外容器を積み重ねて荷崩れを防ぐ蓋部材が考案されている。
【０００３】
しかし、登録実用新案第３１５７６０３号は複数の部材を用いて形成することから、使い勝手が良いとはいえない。さらに、刷毛削ぎ３ａの形状では、使用ごとに常に付着した塗料を除去しなければない。建築塗装の施工において、登録実用新案第３１５７６０３号の容器の組み立てや清掃は作業性を低下させるため、利便性という点では問題があった。
【先行技術文献】
【特許文献】
【０００４】
【特許文献１】登録実用新案第３１５７６０３号の公報
【特許文献２】特許公開２００７−３０７５３６の公報
【特許文献３】特許公開２００７−２９７０８６の公報
【考案の概要】
【考案が解決しようとする課題】
【０００５】
解決しようとする問題点は、建築塗装は工程ごとに塗り色が変わることから登録実用新案第３１５７６０３号の刷毛削ぎ３ａの形状では、使用ごと常に付着した塗料を除去しなければならず、建築塗装の施工において、この欠点は作業性を低下させることは、勿論、容器外から漏れ出した塗料が、床に滴れ落ち作業場を汚すなどの問題があった。さらに、登録実用新案第３１５７６０３号、特許公開２００７−３０７５３６、特許公開２００７−２９７０８６等の容器は、刷毛を傷めずに安定的に固定し保管する機能がない点である。
【課題を解決するための手段】
【０００６】
本考案は、この改善策として、ワンタッチ式の１８プレートＢと、１９プレートＣと、２０プレートＤと、２１プレートＥと、によって登録実用新案第３１５７６０３号の問題点を解決し、さらに、使用中および使用後の刷毛を容器の内部にそのまま保管できる削ぎ具を設け、作業の労務を軽減させる。
【考案の効果】
【０００７】
本考案の１８プレートＢと、１９プレートＣと、２０プレートＤと、２１プレートＥは、ワンタッチで着脱が行え、刷毛に付着した余分な塗料を容易に削ぎ落す機能を備え、工程ごとの色分けに対しても簡単に洗浄ができることから、１８プレートＢと、１９プレートＣと、２０プレートＤと、２１プレートＥの、いずれか１つ備えるだけであらゆる施工に対応できる。また、刷毛を固定し保管できるなどの多様な機能と、使いやすさを追求した、本考案の刷毛の削ぎ具は、作業労務の軽減と刷毛の対応年数を延ばすことによる経費の削減などの効果がある。
【図面の簡単な説明】
【０００８】
【図１】図１の１は１８プレートＢの平面図であり、図１の２は１８プレートＢの正面図である。
【図２】図２の１は１９プレートＣ平面図であり、図２の２は１９プレートＣの正面図である。
【図３】図３の１は２０プレートＤの平面図であり、図３の２は２０プレートＤの正面図である。
【図４】図４の１は２１プレートＥ平面図であり、図４の２は２１プレートＥの正面図である。
【図５】図５は１８プレートＢ、１９プレートＣ、２０プレートＤ、２１プレートＥの断面図である。
【図６】図６は１６刷毛と１８プレートＢ、１９プレートＣ、２０プレートＤ、２１プレートＥの断面図である。
【図７】図７の１と２は２０プレートＤの平面図であり、図７の３は１６刷毛と２０プレートＤの斜視図である。
【図８】図８は２０プレートＤと１６刷毛の斜視図である。
【図９】図９の１は１８プレートＢの正面図であり、図９の２は１８プレートＢを１５容器に装着した斜視図である。
【図１０】図１０は１６刷毛を１５容器に固定した斜視図である。
【図１１】図１１は１５容器に１８プレートＢ、１９プレートＣ、２０プレートＤ、２１プレートＥを差し込み１４ペンキ缶に内部に装着して、６削ぎ具Ｂ、７削ぎ具Ｃ、８削ぎ具Ｄ、９削ぎ具Ｅの上に１６刷毛をのせた斜視図である。
【考案を実施するための形態】
【０００９】
以下、図面に示す実施例により、本考案を図１から図１１によって詳細に説明する。図１と図５が示す、１プレートは、１４ペンキ缶もしくは１５容器の上部端末部と円周曲線部を包み込むため、ヘアピンの曲線形状と背面の曲線形状を備え、１４ペンキ缶もしくは１５容器に差し込むことで固定される形状を備えている。２ネットは、５削ぎ器Ａの上部に付着した塗料を下に落とすために施された網またはピンホールなどの空洞形状で設けられた２ネットである。３フックは、４ゴム（輪ゴム）を固定するため両端の２箇所に備えた。５削ぎ具Ａは、１６刷毛に付着した余分な塗料を削ぎ落とすための傾斜度を備え、１プレートの上部曲線部位に５削ぎ器Ａを備えた。これらの２ネット、３フック、５削ぎ具Ａを１プレートと一体化構造の１７プレートＡを設けた。
【００１０】
図５が示す、６削ぎ具Ｂと７削ぎ具Ｃと８削ぎ具Ｄと９削ぎ具Ｅは、１６刷毛に付着した余分な塗料を削ぎ落とすための傾斜度を備えており、内面部に４ゴムを安定させるための窪みを施した６削ぎ具Ｂと７削ぎ具Ｃと８削ぎ具Ｄであり、図１が示すように、６削ぎ具Ｂは直線的な形状で１０開口部Ａを備えた。図２が示すように、７削ぎ具Ｃは曲線的な形状で１１開口部Ｂを備えた。図３が示すように、８削ぎ具Ｄは曲線的な形状で１７プレートＡとの接合部を１箇所にして１２開口部Ｃを備えた。図４が示すように、９削ぎ具Ｅは流線型の曲線形状で１３開口部Ｄを備えた。なお、６削ぎ具Ｂ、７削ぎ具Ｃ、８削ぎ具Ｄ、９削ぎ具Ｅと１７プレートＡとの高低および張出しの形状は用途に応じて異なり、必要に応じて６削ぎ具Ｂ、７削ぎ具Ｃ、８削ぎ具Ｄ、９削ぎ具Ｅの削ぎ具を円形棒、三角棒、四角棒もしくはワイヤーなどに施してもよい。
【００１１】
これらの１０開口部Ａ〜１２開口部Ｃの開口部（空洞）は多種多様な１６刷毛を格納するための空洞で、図７の１は、３フックに掛けられた４ゴムを８削ぎ具Ｄの上に乗せた図であり、４ゴムは引っ張られ収縮力により直線を描いている。図７の２が示すように、窪みを施した８削ぎ具Ｄの内面に４ゴムを沿えることで、８削ぎ具Ｄの内面に４ゴムが収められた図である。図１１が示すように、１０開口部Ａ〜１３開口部Ｄは、１６刷毛を乗せるための空間を備えることで、一時的に１６刷毛を保管する機能を有している。なお、４ゴム以外にゴム同様の弾力性を持つ、ハリガネまたは板状の金属（超弾性特性）等を用い、予め加圧した状態（反発力）を施し１プレートに備えた、１７プレートＡを設けてもよい。
【００１２】
さらに、６削ぎ具Ｂと７削ぎ具Ｃと８削ぎ具Ｄについて詳しく説明する。図５の１が示すように、４ゴムを掛けるための３フックは６削ぎ具Ｂ、７削ぎ具Ｃ、８削ぎ具Ｄと平行になるよう備えられ、削ぎ具の内面に窪みを設けて４ゴムが窪みで固定されるように施されている６削ぎ具Ｂ、７削ぎ具Ｃ、８削ぎ具Ｄである。
【００１３】
図５の２が示すように、９削ぎ具Ｅは６削ぎ具Ｂ、７削ぎ具Ｃ、８削ぎ具Ｄよりも下段に設け、流線型を施すことにより１６刷毛の特性に応じた機能を備えた。なお、図５には記載していないが、２１プレートＥには４ゴムを用いないため３フックは備えない。また、６削ぎ具Ｂ、７削ぎ具Ｃ、９削ぎ具Ｅは、１７プレートＡとの接合部を２箇所に設け、張出形状の６削ぎ具Ｂ、７削ぎ具Ｃ、８削ぎ具Ｄ、９削ぎ具Ｅの削ぎ具を備えた。
【００１４】
図９の２は１８プレートＢを１５容器に装着した図であり、図１の１が示す、６削ぎ具Ｂの内面に収められた４ゴムを５削ぎ具Ａの辺りまで引き伸ばし、１０開口部Ａの空間を設け、１６刷毛を差し込むことで図１０が示すように、４ゴムの弾圧により１６刷毛の柄部が６削ぎ具Ｂに固定され、１６刷毛の毛を中空の状態で保管する機能と、図１１が示すように、６削ぎ具Ｂに１６刷毛を乗せることで、一時的に１６刷毛を保管する機能と、図６が示すように、１６刷毛を引き上げることで６削ぎ具Ｂと５削ぎ具Ａの２段で削ぎ落とす機能と、を有する１８プレートＢである。
【００１５】
図２の１が示す、１１開口部Ｂの上部から１６刷毛を差し込み横にスライドすることで図１０が示すように、４ゴムの弾圧により１６刷毛の柄部が７削ぎ具Ｃに固定され、１６刷毛の毛を中空の状態で保管する機能と、図１１が示すように、７削ぎ具Ｃに１６刷毛を乗せることで、一時的に１６刷毛を保管する機能と、図６が示すように、１６刷毛を引き上げることで、７削ぎ具Ｃと５削ぎ具Ａの２段で削ぎ落とす機能と、を有する１９プレートＣである。
【００１６】
図７の３と図８が示すように、１２開口部Ｃから１６刷毛を平行にスライドして差し込むことで、４ゴムの弾圧により１６刷毛の柄部が８削ぎ具Ｄに固定され、１６刷毛の毛を中空の状態で保管する機能と、図１１が示すように、８削ぎ具Ｄに１６刷毛を乗せることで一時的に１６刷毛を保管する機能と、図６が示すように、１６刷毛を引き上げることで、８削ぎ具Ｄと５削ぎ具Ａの２段で削ぎ落とす機能と、を有する２０プレートＤである。
【００１７】
図４が示すように、前記１７プレートＡに９削ぎ具Ｅを備えた２１プレートＥは、図６が示すように、１６刷毛を引き上げることで、９削ぎ具Ｅと５削ぎ具Ａの２段で削ぎ落とす機能と、図１１が示すように、９削ぎ具Ｅに１６刷毛を乗せることで、一時的に１６刷毛を保管する機能と、を有する２１プレートＥである。
【００１８】
１７プレートＡは、一面体で設けられているが１４ペンキ缶もしくは１５容器の背面に備える形状で数面体の板状もしくは棒状などでも良い。例えば、１５容器の端末円周部を全体的に囲う１７プレートＡを設け、５削ぎ具Ａ、６削ぎ具Ｂ、７削ぎ具Ｃ、８削ぎ具Ｄ、９削ぎ具Ｅなど、削ぎ具の特徴を複合した新たなるプレートＸを設けてもよいものとする。さらに、５削ぎ具Ａ、６削ぎ具Ｂ、７削ぎ具Ｃ、８削ぎ具Ｄ、９削ぎ具Ｅなどの削ぎ具は２箇所で設けてあるが、用途に応じて３〜１０箇所程度まで備えてもよい。
【００１９】
前記０００９〜前記００１８に記載した材質は、金属類、ビニール類、プラスチック類、合成樹脂類、ゴム類などの用途に応じた素材を用いる。１プレートの厚みは０．０５ｍｍ以上とし、１４ペンキ缶もしくは１５容器に応じた形状寸法であって、２ネット、３フック、５削ぎ具Ａなどとの形状バランスを備えた１７プレートＡは、６削ぎ具Ｂ、７削ぎ具Ｃ、８削ぎ具Ｄ、９削ぎ具Ｅの各種の削ぎ具とを一体化した構造の１８プレートＢと、１９プレートＣと、２０プレートＤと、２１プレートＥとを設けることができる１７プレートＡである。
【００２０】
前記０００９〜前記００１９に記載した１８プレートＢと、１９プレートＣと、２０プレートＤと、２１プレートＥにおいて、表面または内部に塗料が付着しないようシリコン樹脂などを用いて加工処理を必要に応じて行う。なお、図１から図１１に記載した図書は実際の寸法、形状とは異なるものである。  
【００２１】
従来では、作業中、１６刷毛を一時的に据え置く場合、１４ペンキ缶の上端部に乗せることから、塗料の漏れがないように１６刷毛を掻く落とす手間があったが、図１１が示すように、１６刷毛を容易に設置でき、１４ペンキ缶から塗料の漏れを防ぐことができる。さらに、工程レベルに応じた様々な刷毛の削ぎ具を設けたことにより作業労務の軽減と、塗装刷毛の対応年数を延ばす効果がある刷毛の削ぎ具の１８プレートＢと、１９プレートＣと、２０プレートＤと、２１プレートＥである。
【産業上の利用可能性】
【００２２】
このように、多様な刷毛の削ぎ具によって削ぐ機能と、刷毛を保管する機能とを有する削ぎ具は、ワンタッチで装着できることから、効率を飛躍的に向上させ、労務費および塗装刷毛などの消耗品の対応年数を延ばすことができるなど工事に関わる費用の削減を可能にした。
【符号の説明】
【００２３】
１プレート
２ネット
３フック
４ゴム
５削ぎ具Ａ
６削ぎ具Ｂ
７削ぎ具Ｃ
８削ぎ具Ｄ
９削ぎ具Ｅ
１０開口部Ａ
１１開口部Ｂ
１２開口部Ｃ
１３開口部Ｄ
１４ペンキ缶
１５容器
１６刷毛
１７プレートＡ
１８プレートＢ
１９プレートＣ
２０プレートＤ
２１プレートＥ
【図１】
0003164548.tif 000003
【図２】
0003164548.tif 000004
【図３】
0003164548.tif 000005
【図４】
0003164548.tif 000006
【図５】
0003164548.tif 000007
【図６】
0003164548.tif 000008
【図７】
0003164548.tif 000009
【図８】
0003164548.tif 000010
【図９】
0003164548.tif 000011
【図１０】
0003164548.tif 000012
【図１１】
0003164548.tif 000013
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
プレート（１）は、ペンキ缶（１４）もしくは容器（１５）の上部端末部と円周曲線外側面部を包み込む形状を設けるため、差し込むためのヘアピンの曲線形状と、ペンキ缶（１４）もしくは容器（１５）の円周曲線外側面部と密着させるため、プレート（１）の背面は曲線形状を備え、容器（１５）に差し込むことで固定される形状を備えたプレート（１）であって、プレート（１）の内側面上部に沿った曲線形状のネット（２）を設けて、プレート（１）の内側面上部に接合し、ネット（２）の端末側面部に沿った曲線形状の削ぎ具Ａ（５）を設けて、ネット（２）の端末側面部に接合し、プレート（１）の内側面上部から好ましくは１０ｍｍ〜４０ｍｍ程度、下段にゴム（４）を固定するためのＬ字型形状を施したフック（３）をプレート（１）の左右端部２箇所に接合することにより、前記ネット（２）は空洞形状で削ぎ器Ａ（５）の上部に付着した塗料を下に落とす機能を有し、前記フック（３）はゴム（４）を固定する機能を備え、前記削ぎ具Ａ（５）は刷毛（１６）に付着した余分な塗料を削ぎ落とす機能を有し、ネット（２）とフック（３）と削ぎ具Ａ（５）とをプレート（１）と一体化した構造のプレートＡ（１７）を具備したことを、特徴とする刷毛の削ぎ具。
【請求項２】
削ぎ具Ａ（５）と削ぎ具Ｂ（６）と削ぎ具Ｃ（７）と削ぎ具Ｄ（８）と削ぎ具Ｅ（９）は、刷毛（１６）に付着した余分な塗料を削ぎ落とすための傾斜度を備えており、内面部にゴム（４）を安定させるための窪みを施した削ぎ具Ｂ（６）と削ぎ具Ｃ（７）と削ぎ具Ｄ（８）であって、削ぎ具Ｂ（６）は直線的な形状でプレートＡ（１７）の内側面上部から下段の好ましくは１０ｍｍ〜５０ｍｍ程度の位置でプレートＡ（１７）の左右端部に削ぎ具Ｂ（６）の左右端末部の２箇所を接合することにより、開口部Ａ（１０）を備え、削ぎ具Ｃ（７）は曲線的な形状でプレートＡ（１７）の内側面上部から下段の好ましくは１０ｍｍ〜５０ｍｍ程度の位置でプレートＡ（１７）の左右端末部に削ぎ具Ｃ（７）の左右端末部の２箇所を接合することにより、開口部Ｂ（１１）を備え、削ぎ具Ｄ（８）は曲線的な形状でプレートＡ（１７）の内側面上部から下段の好ましくは１０ｍｍ〜５０ｍｍ程度の位置でプレートＡ（１７）の端末部に削ぎ具Ｄ（８）の左端末部の１箇所を接合することにより、開口部Ｃ（１２）を備え、削ぎ具Ｅ（９）は流線型の曲線形状でプレートＡ（１７）の内側面上部から下段の好ましくは１０ｍｍ〜５０ｍｍ程度の位置でプレートＡ（１７）の左右端末部に削ぎ具Ｅ（９）の左右端末部の２箇所を接合することにより、開口部Ｄ（１３）を備えた、削ぎ具Ｂ（６）と削ぎ具Ｃ（７）と削ぎ具Ｄ（８）と削ぎ具Ｅ（９）とを具備したことを、特徴とする請求項１に記載した刷毛の削ぎ具。
【請求項３】
開口部Ａ（１０）の上部から刷毛（１６）を差し込むことでゴム（４）の弾圧により刷毛（１６）の柄部が削ぎ具Ｂ（６）に固定され刷毛（１６）の毛を中空の状態で保管する機能と、削ぎ部Ｂ（６）に刷毛（１６）を乗せることで一時的に刷毛（１６）を保管する機能と、刷毛（１６）を引き上げることで削ぎ具Ｂ（６）と削ぎ具Ａ（５）の２段で削ぎ落とす機能とを備えた一体化構造のプレートＢ（１８）を具備したことを、特徴とする請求項１と請求項２のいずれか一項に記載した刷毛の削ぎ具。
【請求項４】
開口部Ｂ（１１）の上部から刷毛（１６）を差し込みスライドすることでゴム（４）の弾圧により刷毛（１６）の柄部が削ぎ具Ｃ（７）に固定され刷毛（１６）の毛を中空の状態で保管する機能と、削ぎ具Ｃ（７）に刷毛（１６）を乗せることで一時的に刷毛（１６）を保管する機能と、刷毛（１６）を引き上げることで削ぎ具Ｃ（７）と削ぎ具Ａ（５）の２段で削ぎ落とす機能とを備えた一体化構造のプレートＣ（１９）を具備したことを、特徴とする請求項１から請求項３のいずれか一項に記載した刷毛の削ぎ具。
【請求項５】
開口部Ｃ（１２）から刷毛（１６）を平行にスライドして差し込むことでゴム（４）の弾圧により刷毛（１６）の柄部が削ぎ具Ｄ（８）に固定され刷毛（１６）の毛を中空の状態で保管する機能と、削ぎ部Ｄ（８）に刷毛（１６）を乗せることで一時的に刷毛（１６）保管する機能と、刷毛（１６）を引き上げることで削ぎ具Ｄ（８）と削ぎ具Ａ（５）の２段で削ぎ落とす機能とを備えた一体化構造のプレートＤ（２０）を具備したことを、特徴とする請求項１から請求項４のいずれか一項に記載した刷毛の削ぎ具。
【請求項６】
前記プレートＡ（１７）に削ぎ具Ｅ（９）を備えたプレートＥ（２１）であって、刷毛（１６）を引き上げることで削ぎ具Ｅ（９）と削ぎ具Ａ（５）の２段で削ぎ落とす機能と、削ぎ具Ｅ（９）に刷毛（１６）を乗せることで一時的に刷毛（１６）を保管する機能とを備えた一体化構造のプレートＥ（２１）を具備したことを、特徴とする請求項１から請求項５のいずれか一項に記載した刷毛の削ぎ具。
【手続補正２】
【補正対象書類名】明細書
【補正対象項目名】０００９
【補正方法】変更
【補正の内容】
【０００９】
以下、図面に示す実施例により、本考案を図１から図１１によって詳細に説明する。図１と図５が示す、１プレートは、１４ペンキ缶（塗装道具のバケツ形状の下げ缶）もしくは１５容器の上部端末部と円周曲線外側面部を包み込む形状を設けるため、差し込むためのヘアピンの曲線形状と、１４ペンキ缶もしくは１５容器の円周曲線外側面部と密着させるため、１プレートの背面は１４ペンキ缶もしくは１５容器の円周曲線外側面部と同様の曲線面形状を備え、図９の１が示すように、１５容器に差し込むことで図９の２が示すように固定される形状を備えている。なお、図９の２は１プレートに６削ぎ具Ｂと５削ぎ具Ａの２段で削ぎ落とす機能を備えた１８プレートＢの正面部が表示された図で、１プレートの背面は１５容器で死角となり描かれていないが、図１０が示すように１５容器の円周曲線外側面部と１プレートの背面とが密着している様子を表している。２ネットは、５削ぎ器Ａの上部に付着した塗料を下に落とすために施された網またはピンホールなどの空洞形状で設けられた２ネットである。３フックは、４ゴム（輪ゴム）を固定するため両端の２箇所に備えた。５削ぎ具Ａは、１６刷毛に付着した余分な塗料を削ぎ落とすための傾斜度を備え、１プレートの上部曲線部位に５削ぎ器Ａを備えた。図１の１、２と図５の１が示すように、１プレートの内側面上部に沿った曲線形状の２ネットを設けて、１プレートの内側面上部と２ネットの曲線形状面部とを接合し、２ネットの端末側面部に沿った曲線形状の５削ぎ具Ａを設けて、２ネットの端末側面部と５削ぎ具Ａの曲線形状面部とを接合し、１プレートの内側面上部から好ましくは１０ｍｍ〜４０ｍｍ程度、下段に４ゴムを固定するためのＬ字型形状を施した３フックを１プレートの左右端部（削ぎ具によって接合部位は異なる）２箇所に接合した。２ネット、３フック、５削ぎ具Ａを１プレートと一体化した構造の１７プレートＡを設けた。
【手続補正３】
【補正対象書類名】明細書
【補正対象項目名】００１０
【補正方法】変更
【補正の内容】
【００１０】
図５が示す、６削ぎ具Ｂと７削ぎ具Ｃと８削ぎ具Ｄと９削ぎ具Ｅは、１６刷毛に付着した余分な塗料を削ぎ落とすための傾斜度を備えており、内面部に４ゴムを安定させるための窪みを施した６削ぎ具Ｂと７削ぎ具Ｃと８削ぎ具Ｄであり、図１が示すように、６削ぎ具Ｂは直線的な形状で１７プレートＡの内側面上部から下段の位置（好ましくは１０ｍｍ〜５０ｍｍ程度）の１７プレートＡの左右端部に６削ぎ具Ｂの左右端末部２箇所を接合することにより、１０開口部Ａを備えた。図２が示すように、７削ぎ具Ｃは曲線的な形状で右側に楕円の形状を施し、１６刷毛を挿入するための開口部を設けた。１７プレートＡの内側面上部から下段の位置（好ましくは１０ｍｍ〜５０ｍｍ程度）の１７プレートＡの左右端末部に７削ぎ具Ｃの左右端末部２箇所を接合することにより、１１開口部Ｂを備えた。図３が示すように、８削ぎ具Ｄは曲線的な形状で１７プレートＡの内側面上部から下段の位置（好ましくは１０ｍｍ〜５０ｍｍ程度）の１７プレートＡの端末部に８削ぎ具Ｄの左端末部１箇所を接合することにより、１２開口部Ｃを備えた。図４が示すように、９削ぎ具Ｅは流線型の曲線形状で１７プレートＡの内側面上部から下段の位置（好ましくは１０ｍｍ〜５０ｍｍ程度）の１７プレートＡの左右端末部に９削ぎ具Ｅの左右端末部２箇所を接合することにより、１３開口部Ｄを備えた。なお、６削ぎ具Ｂ、７削ぎ具Ｃ、８削ぎ具Ｄ、９削ぎ具Ｅと１７プレートＡとの高低および張出しの形状は用途に応じて異なり、必要に応じて６削ぎ具Ｂ、７削ぎ具Ｃ、８削ぎ具Ｄ、９削ぎ具Ｅの削ぎ具を円形棒、三角棒、四角棒もしくはワイヤーなどに施してもよい。
【手続補正４】
【補正対象書類名】明細書
【補正対象項目名】００１３
【補正方法】変更
【補正の内容】
【００１３】
図５の２は、９削ぎ具Ｅ、６削ぎ具Ｂ、７削ぎ具Ｃ、８削ぎ具Ｄのそれぞれの削ぎ具の形状位置を３つの断面図で表示したもので、左右の図は左右の端末部の断面図であり、中央の図は削ぎ具が張出した形状を表したもので、９削ぎ具Ｅだけが下段に位置している中央の断面図である。９削ぎ具Ｅは流線型により中央に行くほど６削ぎ具Ｂ、７削ぎ具Ｃ、８削ぎ具Ｄよりも下段に設けられる。このように下方向の流線型を施すことにより１６刷毛の特性に応じた機能を備えた。なお、図５には記載していないが、２１プレートＥには４ゴムを用いないため３フックは備えない。また、６削ぎ具Ｂ、７削ぎ具Ｃ、９削ぎ具Ｅは、１７プレートＡとの接合部を２箇所に設け、張出形状の６削ぎ具Ｂ、７削ぎ具Ｃ、８削ぎ具Ｄ、９削ぎ具Ｅの削ぎ具を備えた。